(57)【要約】  本発明は、下敷きのカーペット（１５）上に動かないように設置されるマット（１）に関する。前記マット（１）は、第１の面（２）と、前記第１の面と反対側の第２の面（３）と、前記マット（１）を下敷きの前記カーペット（１５）に固定する複数のフック部材（４）とを備える。前記フック部材（４）は、前記面（２、３）の少なくとも一方の少なくとも一部の領域に配置される。
2010528931.tif 000002
【特許請求の範囲】
【請求項１】
下敷きのカーペット上に動かないように設置されるマット（１）であって、前記マットは、
ａ）第１の面（２）と、
ｂ）これと反対側の第２の面（３）と、
ｃ）前記マット（１）を下敷きの前記カーペット（１５）に固定する複数のフック部材（４）とを有し、
ｄ）前記フック部材（４）は、前記面（２、３）の少なくとも一方の少なくとも一部の領域に配置されることを特徴とするマット（１）。
【請求項２】
前記フック部材（４）は、ステムヘッド（８）を備えた軸状の伸張部（７）を有することを特徴とする請求項１に記載のマット（１）。
【請求項３】
前記フック部材（４）は、扁平な支持ウェブ（５）と一体的に構成されていることを特徴とする先行する請求項の１つに記載のマット（１）。
【請求項４】
前記フック部材（４）は、前記マット（１）の外周の一部の領域に少なくとも配置されていることを特徴とする先行する請求項の１つに記載のマット（１）。
【請求項５】
マンドレル状の伸張部を有する複数の固定部材（９）が、前記面（２、３）の少なくとも一方に設けられていることを特徴とする先行する請求項の１つに記載のマット（１）。
【請求項６】
前記固定部材９は、前記マット（１）の前記面（２、３）の少なくとも一方の一部の領域に少なくとも配置され、前記一部の領域は、少なくとも部分的にフック部材（４）が配置された領域に囲まれていることを特徴とする請求項５に記載のマット（１）。
【請求項７】
前記フック部材４及び／又は前記固定部材９は、熱可塑性重合体から作られることを特徴とする先行する請求項の１つに記載のマット（１）。
【請求項８】
照明装置（１３）が前記マット（１）に一体化されたことを特徴とする先行する請求項の１つに記載のマット（１）。
【請求項９】
前記照明装置（１３）が着脱可能に前記マット（１）に連結されていることを特徴とする請求項８に記載のマット（１）。
【請求項１０】
前記照明装置（１３）は湿気を締め出すように設計されていることを特徴する請求項８または９に記載のマット（１）。
【発明の詳細な説明】
【技術分野】
【０００１】
本発明は、下敷きのカーペットにマットを固定する一体型のフック部材を備えたマットに関する。
【背景技術】
【０００２】
着脱可能に取り付けることができるマットは、例えば、下敷のカーペットを汚れから防ぐのに用いられる。その際、マットが不意に動かないように固定することが多くの場合必要となる。同時に、もしマットを、例えば掃除のためにそれらの下に横たわる表面から容易に取り外すことができれば有利である。
【発明の概要】
【０００３】
本発明の根底を成す課題は、下敷きのカーペット上に動かないように設置されるマットを作成することである。ユーザーは、そのマットを容易にカーペット上に設置でき、かつ容易にカーペットから取り外すことができなければならない。
【０００４】
前記課題は、請求項１の特徴により解決される。本発明の本質は、前記マットのその少なくとも一方の面に自動留め型のフック部材を備え付けることからなる。そのフック部材は、下敷のカーペットに前記マットを動かないように固定する一方で、同時に前記マットをそのカーペットから取り外すことを可能にする。
【０００５】
本発明のさらに有利な構成は、サブクレームよりもたらされる。本発明のその他の特徴及び詳細は、複数の実施の形態より図面を援用してもたらされる。以下を示す。
【図面の簡単な説明】
【０００６】
【図１】第１の実施形態に係るマットの断面を示す図である。
【図２】図１の断面の一部の拡大図である。
【図３】図１に係るマットの一部を下から見た底面図である。
【図４】第２の実施形態に係るマットの断面図である。
【発明を実施するための形態】
【０００７】
以下、図１を参照して本発明の第１の実施形態を説明する。マット１は、略扁平に構成されたマットウェブ１２を有し、当該ウェブ１２は、底面２である第１の面と、この面と反対側の、上面３である第２の面とを有する。複数のフック部材４が底面２に位置している。フック部材４は、底面２の一部の領域に配置されている。その際、その一部の領域が、有利にはマット１の外周領域内に位置している。フック部材４の他の配置も同様に可能である。特に、フック部材４を、マット１の上面３に配置することもできる。フック部材４は熱可塑性重合体、特にポリプロピレンからなる。フック部材４は、扁平な支持ウェブ５と一体的に構成される。フック部材４は基部６を有する。支持ウェブ５から見て外方に向く側において、基部６は漸減し、軸状の伸張部７になる。軸状の伸張部７は、支持ウェブ５から突出している。それらは、マット１の底面２に対し略垂直に配列されている。軸状の伸張部７は、基部６とは反対の端部にステムヘッド８を有する。ステムヘッド８は、対応する軸状の伸張部７の各方向に交差するように伸びた繊維と絡み合うように協動する。従って、ステムヘッド８は、この種の繊維と積極的に結び付く。ステムヘッド８は、軸状の伸張部７から放射状に突出するように構成されている。ステムヘッド８の基部から見て外方を向く側は丸みを帯びている。ステムヘッド８は特に、マッシュルームの頭部のような形状を有する。この代替として、ステムヘッド８を釣り針の返し（barb）状とすることもできる。
【０００８】
第１の実施形態によれば、マット１はさらに複数の固定部材９を有する。固定部材９は、マット１の底面２の一部の領域に配置されている。従って、固定部材９とフック部材４とは、マット１の同じ面に少なくとも部分的に配置されている。固定部材９が配置された一部の領域は、有利にはフック部材４が配置された一部の領域内に位置する。フック部材４に関連して、固定部材９の他の配置も同様に考えられる。記載しない実施形態において、固定部材９が配置された領域とフック部材４が配置された領域とが、例えばそれらが重なるように配置される。固定部材９は、扁平な支持ウェブ５に一体的に連結され、当該ウェブ５から突出している。固定部材９は基部１０を有する。支持ウェブ５から見て外方を向く側において、基部１０は漸減し、マンドレル状の伸張部１１となる。固定部材９のマンドレル状の伸張部１１は、互いに平行に配置される。固定部材９の配列は、マット１の底面２に対して特に垂直である。この代替として、固定部材９を異なる角度で、即ちマット１の底面２から斜めに突出するように同様に設けることも可能である。少なくとも一部分で、それらは互いに平行に、ある方向に配列されている。支持ウェブ５上の基部１０から各マンドレル状の伸張部１１の最端部までを測った固定部材９の全長は、有利にはフック部材４の対応する長さよりも長い。固定部材９も同様に熱可塑性重合体、特にポリプロピレンからなる。フック部材４の材料とは別の材料から固定部材９を作ることもできる。固定部材９は、有利にはフック部材４より高い弾性係数を有する。
【０００９】
マットウェブ１２は可撓性を有する。マットウェブ１２は有利には弾性を有する。さらに、マットウェブ１２は耐熱性及び耐寒性を有する。マットウェブ１２は、有利には耐汚性を有し、洗濯可能でかつ耐久性を有するように構成される。可撓性の支持ウェブ５は、例えば積層、溶着、接着、縫い付け、編みこみまたはリベット留めにより恒久的にマットウェブ１２に連結される。特に有利な実施形態において、支持ウェブ５はマットウェブ１２と一体的に構成される。
【００１０】
固定部材９及びフック部材４により、マット１を特に下敷きのカーペット１５に固定することができる。マット１が下敷きのカーペット１５に設置されると、フック部材４及び固定部材９は、カーペット１５の繊維と係合する。その際、固定部材９は特に、マット１をマット１の上面に対して平行な方向に固定する役割を果たす。
【００１１】
固定部材９の配列により、マット１が動くのが防止される。固定部材９の配列により、マット１が特定方向に動く傾向が補助され、さもなくばとりわけそれを防止することができる。フック部材４はそれらのステムヘッド８と共に、下敷きのカーペット１５の個々の繊維にフック係合する。それにより、それらはマット１が下敷きのカーペット１５から不意に持ち上がるのを防ぐ。マット１は、自動車のフロアーマットに特に適している。
【００１２】
以下、図２を参照して別の実施形態を説明する。同一の部位には第１の実施形態と同じ参照符号を付し、そこでの説明を参照する。第１の実施形態との最大の違いは、マットウェブ１２の領域の少なくとも一部に照明装置１３が備わっている点である。照明装置１３は、同装置１３を見易いように、上部３からマットウェブ１２に一体化されている。照明装置１３は、着脱可能にマット１に連結されている。照明装置１３を、例えば、縫い付けまたは接着によりマット１に恒久的に連結することもできる。照明装置１３は、可撓性を有し、特に箔状の帯またはコードの形体に設計される。照明装置１３は、接続ケーブル１４を介して図示しない外部電源、例えば自動車のバッテリーに接続される。記載しない別の実施形態では、マット１に一体化される交換可能型バッテリーがその電源として用いられる。照明装置１３は、接続ケーブル１４と共に、密閉された、特に流体に対して密封された防水性の装置として構成される。照明装置１３は単色または多色の様々な色で設けることができる。
【００１３】
照明装置１３により、異なる多彩なパターン及び効果を実現することができる。この目的のために、図示しない制御要素が有利にはさらに備えられる。これに加えて、またはこの代替として、光センサ、温度センサ、タコメータ、または照明装置１３を制御する他のセンサを備えるように構成することができる。この種の照明装置１３を用いて、マットに例えば情報項目を適宜表示することもできる。
【図１】
2010528931.tif 000003
【図２】
2010528931.tif 000004
【図３】
2010528931.tif 000005
【図４】
2010528931.tif 000006
【国際調査報告】
2010528931.tif 000007
2010528931.tif 000008
2010528931.tif 000009
2010528931.tif 000010